(57)【要約】【課題】構造が簡略化され、製造コストを軽減し得るとともに、必要とする強度を容易に具現し得る椅子の座部スライド支持構造を提供する。【解決手段】脚柱１の上端部に水平に支持された樹脂製サドル２と、軽摩擦抵抗の合成樹脂により成形され前記サドルの両側縁に固着されたスライドシュー１０と、座部の下側に固定され前記スライドシューを介して前記サドル上に前後方向にスライド可能に支持された下面開放方形箱状の板金製スライド盤２０と、該スライド盤内に前後方向に横架状に固定された一対の横架部材４０と、該スライド盤を前方に付勢するため前記サドルとスライド盤との間に張架されたコイルバネ１５とからなり、前記スライドシューは前記サドルの両側縁を覆うコ字状部１１が形成され、該コ字状部の上面および外側面をスライド盤の底板２１下面および両側板２２内面に摺接させるとともに、該スライドシューの下面に前記横架部材を隙間なく対峙させてなる。【選択図】  図２
2004180783.tif 000002
【特許請求の範囲】
【請求項１】
脚柱の上端部に水平に支持された樹脂製サドルと、軽摩擦抵抗の合成樹脂により成形され前記サドルの両側縁に固着されたスライドシューと、座部の下側に固定され前記スライドシューを介して前記サドル上に前後方向にスライド可能に支持された下面開放方形箱状の板金製スライド盤と、該スライド盤内に前後方向に横架状に固定された一対の横架部材と、該スライド盤を前方に付勢するため前記サドルとスライド盤との間に張架されたコイルバネとからなり、前記スライドシューは前記サドルの両側縁を覆うコ字状部が形成され、該コ字状部の上面および外側面をスライド盤の底板下面および両側板内面に摺接させるとともに、該スライドシューの下面に前記横架部材を隙間なく対峙させてなることを特徴とした椅子の座部スライド支持構造。
【請求項２】
脚柱の上端部に水平に支持された樹脂製サドルと、軽摩擦抵抗の合成樹脂により成形され前記サドルの両側縁に固着されたスライドシューと、座部の下側に固定され前記スライドシューを介して前記サドル上に前後方向にスライド可能に支持された下面開放方形箱状の板金製スライド盤と、該スライド盤内に前後方向に横架状に固定された一対の金属製丸棒からなる横架部材と、該スライド盤を前方に付勢するため前記サドルとスライド盤との間に張架されたコイルバネとからなり、前記スライドシューは前記サドルの両側縁を覆うコ字状部の下部先端縁に円弧状に曲がって垂下する曲面部が形成され、該コ字状部の上面および外側面をスライド盤の底板下面および両側板内面に摺接させるとともに、前記曲面部の内面に前記横架部材の外周面を隙間なく対峙させてなることを特徴とした椅子の座部スライド支持構造。
【請求項３】
コイルバネが貫挿される透孔が開設された複数のリブをサドルの両側に定間隔で一体に形成してなる請求項１または２に記載の椅子の座部スライド支持構造。
【発明の詳細な説明】
【０００１】
【発明の属する技術分野】
本発明は主としてパチンコ遊技場に設置される椅子の座部スライド支持構造に関するものである。
【０００２】
【従来の技術】
【特許文献１】
特開平０９−２７１４２０号公報
【特許文献２】
実公平０７−５０９８９号公報
【特許文献３】
第３０４１０８４号登録実用新案公報
【特許文献４】
第３０４６７７１号登録実用新案公報
【０００３】
例えばパチンコ遊技場では、通路幅を広く確保できるように、座部を前後方向にスライド可能に設けるとともに、該座部をコイルバネによって前方に付勢することで非使用時に該座部が前方に移動するようにしている。上記各特許文献にはそのための種々の構造が示されている。
【０００４】
【発明が解決しようとする課題】
ところで、上記特許文献１〜３に示された椅子のスライド支持部は、座部の下面に固着した枠体に一対の横断面コ字状のレールを溶接により固着し、該レールにスライドシューを摺接させた構造であった。このため、溶接等の作業を要するとともにその溶接時にレールを熱変形させ易いので注意を要するなど加工精度を要するので製造コストが高くなるという問題があった。
また、特許文献４では、丸棒状のレールを横架したものであったが、使用時にこの丸棒状のレールに体重による曲げ荷重が掛かるために、その荷重に耐え得る充分なる強度を要するものであり、たわみ変形によりスライド性が悪くなるおそれがあった。
そこで本発明は、構造が簡略化され、製造コストを軽減し得るとともに、必要とする強度を容易に具現し得る椅子の座部スライド支持構造を提供しようとするものである。
【０００５】
【課題を解決するための手段】
そのために本発明に係る椅子の座部スライド支持構造は、脚柱の上端部に水平に支持された樹脂製サドルと、軽摩擦抵抗の合成樹脂により成形され前記サドルの両側縁に固着されたスライドシューと、座部の下側に固定され前記スライドシューを介して前記サドル上に前後方向にスライド可能に支持された下面開放方形箱状の板金製スライド盤と、該スライド盤内に前後方向に横架状に固定された一対の横架部材と、該スライド盤を前方に付勢するため前記サドルとスライド盤との間に張架されたコイルバネとからなり、前記スライドシューは前記サドルの両側縁を覆うコ字状部が形成され、該コ字状部の上面および外側面をスライド盤の底板下面および両側板内面に摺接させるとともに、該スライドシューの下面に前記横架部材を隙間なく対峙させてなることを特徴とする。
また本発明に係る椅子の座部スライド支持構造は、脚柱の上端部に水平に支持された樹脂製サドルと、軽摩擦抵抗の合成樹脂により成形され前記サドルの両側縁に固着されたスライドシューと、座部の下側に固定され前記スライドシューを介して前記サドル上に前後方向にスライド可能に支持された下面開放方形箱状の板金製スライド盤と、該スライド盤内に前後方向に横架状に固定された一対の金属製丸棒からなる横架部材と、該スライド盤を前方に付勢するため前記サドルとスライド盤との間に張架されたコイルバネとからなり、前記スライドシューは前記サドルの両側縁を覆うコ字状部の下部先端縁に円弧状に曲がって垂下する曲面部が形成され、該コ字状部の上面および外側面をスライド盤の底板下面および両側板内面に摺接させるとともに、前記曲面部の内面に前記横架部材の外周面を隙間なく対峙させてなることを特徴とする。
また本発明は上記座部スライド支持構造において、コイルバネが貫挿される透孔が開設された複数のリブをサドルの両側に定間隔で一体に形成してなるものである。
【０００６】
【発明の実施の形態】
次に本発明の実施の形態を図面に従い説明する。図１はこの椅子の座部の縦断面図、図２はその横断面図である。図中、１は鉛直に樹立された脚柱、２は下面に形成された嵌合孔３に該脚柱の上端部を嵌合することにより水平に支持された樹脂製サドルである。該サドル２は図３に分解斜視図を示したように横断面が略Ｙ字形を呈し、その上部両側縁の下面に複数のリブ４が定間隔で一体に形成され、下部両側面には一連の透孔５が開設された複数のリブ６が定間隔で一体に形成されている。なお、７はサドル２の中心部に樹脂の肉厚を一定に保つために形成された抜孔、８は前記嵌合孔３を形成するための上方への突起である。
【０００７】
また、１０はポリアセタール等の軽摩擦抵抗の合成樹脂により成形された４個のスライドシューで、該スライドシューはコ字状部１１の下部先端縁に円弧状に曲がって垂下する曲面部１２が形成され、内面には複数本のリブを形成することで溝１３が形成され、該溝に前記リブ４を嵌合することにより図４に示したように４個のスライドシュー１０を前記サドル２の上部両側縁四隅を覆うように固着する。また、１５は一端に大径巻部１６が形成され、他端にフック１７が形成された一対のコイルバネである。
【０００８】
また、図５に示したように、２０は厚さ約３ｍｍの亜鉛鋼板をプレス加工することにより底板２１と両側板２２と両端板２３とからなる長方形箱状に形成した頑強な板金製スライド盤で、該スライド盤を図１に示したように前後方向に長手で下面が開放した状態なるように椅子の座部３０の下側に底板２１にボルト３１を貫挿することによって固定する。なお、３２は座部３０の後部に突設された背もたれ部である。そして該スライド盤２０を前記サドル２上に乗せ前記スライドシュー１０のコ字状部１１の上面をスライド盤の底板２１下面に摺接させるとともに該コ字状部１１の外側面を該スライド盤の両側板２２内面に摺接させる。
【０００９】
４０は一端に頭部４１が形成された金属製丸棒からなる横架部材で、一対の該横架部材をスライド盤２０の両端板２３間に貫挿することで、該各横架部材４０を該スライド盤内に前後方向に横架状に固定し、該各横架部材４０の外周面を前記スライドシュー１０の曲面部１２の内面に隙間なく対峙させる。なお、４２は該横架部材４０の端部に止着された抜止用リングである。そして、前記コイルバネ１５をフック１７側より前記透孔５に貫挿し、該コイルバネ１５の大径巻部１６をリブ６に係合させるとともに該フック１７をスライド盤２０の両端板２３に形成された止孔２４に係合し、該コイルバネ１５をサドル２とスライド盤２０との間に張架し、その弾性復元引張力により該スライド盤２０を前方（背もたれ部３２と反対方向）に付勢する。
【００１０】
このように構成した椅子では、非使用状態ではコイルバネ１５の作用で座部３０は図１に示したように自然と前方に移動することにより、パチンコ遊技場では後側の通路幅を広く確保できる。また、使用に際しては図６に矢印で示したように座部３０を後方に押すことにより後方に移動し前方が広くなって着座し易くできる。
【００１１】
そして、この椅子では座部３０の荷重がスライド盤２０からスライドシュー１０を介してサドル２に掛かり、横架部材４０はサドル２上からスライド盤２０が離脱するのを防いでいる。このため普通の使用状態で横架部材４０に人の体重が掛かることなく長時間使用していても該横架部材４０がたわむようなおそれはない。そして、サドル２はスライド盤２０をスライドシュー１０を介して直に支持するとともに、該スライドシュー１０はコ字状部１１をスライド盤の底板２１下面と両側板２２内面に摺接させていることから、座部３０を前後方向にスライド可能に安定的に支持できる。
【００１２】
なお、上記コイルバネ１５の一端は、大径巻部１６が透孔５の外周部に係合することによって止着されることから、透孔５に貫挿するだけで簡単に止着できる。また、該コイルバネ１５は複数のリブ６の透孔５中に貫挿されることから、着座した人の指先が該コイルバネ１５に触らないようにでき、伸縮するコイルバネ１５によって挟まれて指先を怪我するおそれをなくすことができる。
【００１３】
なお、金属製丸棒からなる横架部材４０をスライドシュー１０の曲面部１２の内面に対峙させることにより、組み付け精度を容易に向上できるようにする利点があるが、図７に例示した本発明の他の実施形態のように、横断面Ｌ字状の横架部材４０がスライドシュー１０の下面に隙間なく対峙するように、該横架部材４０をスライド盤２０の両側板２２にボルト４３によって固着することによってもサドル２上からスライド盤２０が離脱するのを防ぐことができる。
【００１４】
【発明の効果】
このように本発明に係る椅子の座部スライド支持構造は、軽摩擦抵抗の合成樹脂により成形されたスライドシューをサドルの両側縁に固着し、該スライドシューのコ字状部をスライド盤の底板下面および両側板内面に摺接させるとともに、該スライドシューの下面に横架部材を隙間なく対峙させてなるので、少ない部品点数で構成され、従来のように溶接作業を要することなく簡単に組み立てられ不良品の発生を少なくでき製造コストを大幅に削減できるとともに、容易に頑強なスライド椅子を提供できるようにする顕著な効果がある。
【図面の簡単な説明】
【図１】本発明の実施形態を示す椅子の座部の縦断面図。
【図２】図１の椅子の座部の横断面図。
【図３】本発明の実施形態を示す椅子の座部スライド支持構造の主要部品の分解斜視図。
【図４】図３のスライドシューの組付時の分解斜視図。
【図５】本発明の実施形態を示す椅子の座部スライド支持構造の主要部の裏面の斜視図。
【図６】図１の作動状態図。
【図７】本発明の他の実施形態を示す椅子の座部の横断面図。
【符号の説明】
１      脚柱
２      樹脂製サドル
６      リブ
１０    スライドシュー
１１    コ字状部
１２    曲面部
１５    コイルバネ
２０    板金製スライド盤
２１    底板
２２    両側板
２３    両端板
３０    座部
４０    横架部材
【図１】
2004180783.tif 000003
【図２】
2004180783.tif 000004
【図３】
2004180783.tif 000005
【図４】
2004180783.tif 000006
【図５】
2004180783.tif 000007
【図６】
2004180783.tif 000008
【図７】
2004180783.tif 000009